(57)【特許請求の範囲】
【請求項１】
多数の貫通孔を有する矩形状の正面板と、
前記正面板と空間を介して対向する矩形状の背面板と、
前記正面板と前記背面板とをこれらの外縁において接続する側部材であって、前記空間を介して互いに対向する一対の側部を２組含む側部材と、
多数の貫通孔を有し、前記空間の内部において前記正面板及び前記背面板のそれぞれと対向し、前記空間を複数の空気層に区画する複数の内部板と、
を備えた、箱状の吸音パネルにおいて、
前記２組の一対の側部は、それぞれ、前記空間を介して互いに対向する内側面同士が互いに平行に配置されており、
前記複数の内部板のそれぞれが、少なくとも１つの前記内側面に対して斜めに配置された傾斜部を有することを特徴とする、吸音パネル。
【請求項２】
多数の貫通孔を有する矩形状の正面板と、
前記正面板と空間を介して対向する矩形状の背面板と、
前記正面板と前記背面板とをこれらの外縁において接続する側部材であって、前記空間を介して互いに対向する一対の側部を２組含む側部材と、
多数の貫通孔を有し、前記空間の内部において前記正面板及び前記背面板のそれぞれと対向し、前記空間を複数の空気層に区画する複数の内部板と、
を備えた、箱状の吸音パネルにおいて、
前記２組の一対の側部は、それぞれ、前記空間を介して互いに対向する内側面同士が互いに平行に配置されており、
前記複数の内部板は、少なくとも１つの前記内側面に対して斜めに配置された傾斜部を有する第１内部板と、前記傾斜部を有さない第２内部板とを含み、
前記傾斜部は、前記第２内部板によって区画された２つの空気層の一方における前記正面板から前記背面板に向かう吸音方向の一端から他端に亘って延在することを特徴とする、吸音パネル。
【請求項３】
前記第１内部板は、前記吸音方向又は前記吸音方向と逆の方向に突出した山部であって２つの前記傾斜部を構成する山部を含むことを特徴とする、請求項２に記載の吸音パネル。
【請求項４】
多数の貫通孔を有する矩形状の正面板と、
前記正面板と空間を介して対向する矩形状の背面板と、
前記正面板と前記背面板とをこれらの外縁において接続する側部材であって、前記空間を介して互いに対向する一対の側部を２組含む側部材と、
多数の貫通孔を有し、前記空間の内部において前記正面板及び前記背面板のそれぞれと対向し、前記空間を複数の空気層に区画する複数の内部板と、
を備えた、箱状の吸音パネルにおいて、
前記２組の一対の側部は、それぞれ、前記空間を介して互いに対向する内側面同士が互いに平行に配置されており、
前記複数の内部板は、少なくとも１つの前記内側面に対して斜めに配置された傾斜部を有し且つ前記正面板から前記背面板に向かう吸音方向又は前記吸音方向と逆の方向に突出した山部であって２つの前記傾斜部を構成する山部を含む第１内部板と、前記傾斜部を有し且つ前記山部を含まない第２内部板とを含み、
前記第１内部板の前記傾斜部は、前記第２内部板によって区画された２つの空気層の一方における前記吸音方向の一端から他端に亘って延在することを特徴とする、吸音パネル。
【請求項５】
前記第１内部板は、複数の前記山部を含むことを特徴とする、請求項３又は４に記載の吸音パネル。
【発明の詳細な説明】
【技術分野】
【０００１】
本発明は、道路、鉄道等で発生する騒音を低減させるための箱状の吸音パネルに関する。
【背景技術】
【０００２】
箱状の吸音パネルとして、特許文献１に記載のものが知られている。特許文献１に記載の吸音パネル１００は、簡略化すると、図１に示すように、多数の貫通孔１ａを有する矩形状の正面板１と、正面板１と空間Ｖを介して対向する矩形状の背面板２と、正面板１と背面板２とをこれらの外縁において接続する側部材３であって、空間Ｖを介して互いに対向する一対の側部３ａを２組含む側部材３と、多数の貫通孔４ａを有し、空間Ｖの内部において正面板１及び背面板２のそれぞれと対向する２枚の内部板４と、を備えている。空間Ｖは、２枚の内部板４によって、３つの空気層Ｖ１〜Ｖ３に区画されている。２組の一対の側部３ａは、それぞれ、空間Ｖを介して互いに対向する内側面３ａ１同士が互いに平行に配置されている。
【０００３】
特許文献１に記載の吸音パネル１００は、空間Ｖにグラスウール材等の繊維を充填したもの（以下、「繊維系吸音パネル」という。）に比べ、高い耐候性を有し、且つ、幅広い周波数帯域の音を安定して低減することができるという利点を有する。
【先行技術文献】
【特許文献】
【０００４】
【特許文献１】特許第５３０８００６号公報
【発明の概要】
【発明が解決しようとする課題】
【０００５】
しかしながら、特許文献１に記載の吸音パネルのように、内部板４によって空間Ｖが複数の空気層Ｖ１〜Ｖ３に区画された構成においては、空気層Ｖ１〜Ｖ３のそれぞれがバネ、正面板１、背面板２及び内部板４のそれぞれが質量として、共鳴が生じ、各板１，２，４が振動することで、透過損失が低下する。一例として、図２に、特許文献１に記載の吸音パネルのように多数の貫通孔４ａを有する内部板４を空間Ｖに配置した吸音パネル（以下、「多孔吸音パネル」という。）及び繊維系吸音パネルの透過損失を示す。図２で比較している多孔吸音パネル及び繊維系吸音パネルの面密度は略同じであり、質量則に従えば両パネルは同等の透過損失となるはずであるが、多孔吸音パネルでは、共鳴のために８００Ｈｚ及び１０００Ｈｚ帯域で透過損失が低くなっている。
【０００６】
共鳴には、板１，２，４に垂直な方向に伝搬する音波による共鳴（以下、「垂直共鳴」という。）と、板１，２，４に水平な方向に伝搬する音波による共鳴（以下、「水平共鳴」という。）とがある。繊維系吸音パネルでは、空間Ｖに充填された繊維によってこれらの共鳴が抑制されるが、空間Ｖに繊維が存在しない多孔吸音パネルでは、共鳴が抑制されず、透過損失が低下してしまう。
【０００７】
本発明の目的は、共鳴（特に、水平共鳴）を起因とした透過損失の低下を抑制可能な吸音パネルを提供することである。
【課題を解決するための手段】
【０００８】
本発明の第１観点に係る吸音パネルは、多数の貫通孔を有する矩形状の正面板と、前記正面板と空間を介して対向する矩形状の背面板と、前記正面板と前記背面板とをこれらの外縁において接続する側部材であって、前記空間を介して互いに対向する一対の側部を２組含む側部材と、多数の貫通孔を有し、前記空間の内部において前記正面板及び前記背面板のそれぞれと対向し、前記空間を複数の空気層に区画する複数の内部板と、を備えた、箱状の吸音パネルにおいて、前記２組の一対の側部は、それぞれ、前記空間を介して互いに対向する内側面同士が互いに平行に配置されており、前記複数の内部板のそれぞれが、少なくとも１つの前記内側面に対して斜めに配置された傾斜部を有することを特徴とする。
本発明の第２観点に係る吸音パネルは、多数の貫通孔を有する矩形状の正面板と、前記正面板と空間を介して対向する矩形状の背面板と、前記正面板と前記背面板とをこれらの外縁において接続する側部材であって、前記空間を介して互いに対向する一対の側部を２組含む側部材と、多数の貫通孔を有し、前記空間の内部において前記正面板及び前記背面板のそれぞれと対向し、前記空間を複数の空気層に区画する複数の内部板と、を備えた、箱状の吸音パネルにおいて、前記２組の一対の側部は、それぞれ、前記空間を介して互いに対向する内側面同士が互いに平行に配置されており、前記複数の内部板は、少なくとも１つの前記内側面に対して斜めに配置された傾斜部を有する第１内部板と、前記傾斜部を有さない第２内部板とを含み、前記傾斜部は、前記第２内部板によって区画された２つの空気層の一方における前記正面板から前記背面板に向かう吸音方向の一端から他端に亘って延在することを特徴とする。
本発明の第３観点に係る吸音パネルは、多数の貫通孔を有する矩形状の正面板と、前記正面板と空間を介して対向する矩形状の背面板と、前記正面板と前記背面板とをこれらの外縁において接続する側部材であって、前記空間を介して互いに対向する一対の側部を２組含む側部材と、多数の貫通孔を有し、前記空間の内部において前記正面板及び前記背面板のそれぞれと対向し、前記空間を複数の空気層に区画する複数の内部板と、を備えた、箱状の吸音パネルにおいて、前記２組の一対の側部は、それぞれ、前記空間を介して互いに対向する内側面同士が互いに平行に配置されており、前記複数の内部板は、少なくとも１つの前記内側面に対して斜めに配置された傾斜部を有し且つ前記正面板から前記背面板に向かう吸音方向又は前記吸音方向と逆の方向に突出した山部であって２つの前記傾斜部を構成する山部を含む第１内部板と、前記傾斜部を有し且つ前記山部を含まない第２内部板とを含み、前記第１内部板の前記傾斜部は、前記第２内部板によって区画された２つの空気層の一方における前記吸音方向の一端から他端に亘って延在することを特徴とする。
【０００９】
本発明によれば、箱状の吸音パネルで側部材の一対の側部の内側面同士が互いに平行に配置された構成において、正面板、背面板及び内部板の少なくともいずれかが、少なくとも１つの内側面に対して斜めに配置された傾斜部を有する。この場合、側部の内側面で反射した音波は、傾斜部で跳ね返った後に内部板の貫通孔に入射するか、又は、内部板が傾斜部を有する場合に当該傾斜部に形成された内部板の貫通孔に入射する。このように側部の内側面で反射した音波が内部板の貫通孔に入射することで、水平共鳴が抑制され、共鳴（特に、水平共鳴）を起因とした透過損失の低下を抑制可能である。
【００１０】
本発明の参考形態において、前記傾斜部は、前記空間における前記正面板から前記背面板に向かう吸音方向の一端から他端に亘って延在してよい。この場合、側部の内側面で反射した音波に対する吸音面積が大きくなり、吸音効果が向上する。言い換えると、傾斜部が空間における吸音方向の一端から他端に亘って延在し、対向する一対の側部の一方から他方を見通せない構造になっているため、側部の内側面で生じる水平共鳴が抑制され、吸音効果が向上する。
【００１１】
本発明の第２観点において、前記傾斜部は、前記第２内部板によって区画された２つの空気層の一方における前記正面板から前記背面板に向かう吸音方向の一端から他端に亘って延在する。本発明の第３観点において、前記第１内部板の前記傾斜部は、前記第２内部板によって区画された２つの空気層の一方における前記吸音方向の一端から他端に亘って延在する。これらの場合、当該空気層において、側部の内側面で反射した音波に対する吸音面積が大きくなり、吸音効果が向上する。言い換えると、第１内部板の傾斜部が当該空気層における吸音方向の一端から他端に亘って延在し、当該空気層において対向する一対の側部の一方から他方を見通せない構造になっているため、側部の内側面で生じる水平共鳴が抑制され、吸音効果が向上する。
【００１２】
本発明の第２観点において、前記第１内部板は、前記吸音方向又は前記吸音方向と逆の方向に突出した山部であって２つの前記傾斜部を構成する山部を含んでよい。この場合、側部の内側面で反射した音波に対する吸音回数が増加し、吸音効果が向上する。
【００１３】
本発明の第２観点及び第３観点において、前記第１内部板は、複数の前記山部を含んでよい。この場合、側部の内側面で反射した音波に対する吸音回数がさらに増加し、吸音効果が向上する。
【００１４】
本発明の参考形態において、前記傾斜部は、前記側部の前記内側面のそれぞれに対して斜めに配置されてよい。この場合、２組の一対の側部の各組において内側面で反射する音波に対して、水平共鳴の抑制効果が得られる。
【発明の効果】
【００１５】
本発明によれば、箱状の吸音パネルで側部材の一対の側部の内側面同士が互いに平行に配置された構成において、正面板、背面板及び内部板の少なくともいずれかが、少なくとも１つの内側面に対して斜めに配置された傾斜部を有する。この場合、側部の内側面で反射した音波は、傾斜部で跳ね返った後に内部板の貫通孔に入射するか、又は、内部板が傾斜部を有する場合に当該傾斜部に形成された内部板の貫通孔に入射する。このように側部の内側面で反射した音波が内部板の貫通孔に入射することで、水平共鳴が抑制され、共鳴（特に、水平共鳴）を起因とした透過損失の低下を抑制可能である。
【図面の簡単な説明】
【００１６】
【図１】特許文献１に記載の吸音パネルを簡略化したものを示す概略断面図である。
【図２】多孔吸音パネル及び繊維系吸音パネルの透過損失を示すグラフである。
【図３】本発明の第１参考形態に係る吸音パネルを示す概略断面図である。
【図４】本発明の第１実施形態に係る吸音パネルを示す概略断面図である。
【図５】本発明の第２参考形態に係る吸音パネルを示す概略断面図である。
【図６】本発明の第２実施形態に係る吸音パネルを示す概略断面図である。
【図７】本発明の第３参考形態に係る吸音パネルを示す概略断面図である。
【図８】本発明の第４参考形態に係る吸音パネルを示す概略断面図である。
【図９】本発明の第５参考形態に係る吸音パネルを示す概略断面図である。
【図１０】本発明の第６参考形態に係る吸音パネルを示す概略断面図である。
【図１１】本発明の第３実施形態に係る吸音パネルを示す概略断面図である。
【図１２】本発明の第４実施形態に係る吸音パネルを示す概略断面図である。
【図１３】本発明の第５実施形態に係る吸音パネルを示す概略断面図である。
【図１４】本発明の第６実施形態に係る吸音パネルを示す概略断面図である。
【図１５】本発明の第７参考形態に係る吸音パネルを示す概略断面図である。
【図１６】本発明の第８参考形態に係る吸音パネルを示す概略断面図である。
【図１７】本発明の第９参考形態に係る吸音パネルを示す概略断面図である。
【図１８】本発明の第１０参考形態に係る吸音パネルを示す概略断面図である。
【図１９】本発明の第６参考形態に係る吸音パネルにおける透過損失の増加量を示すグラフである。
【発明を実施するための形態】
【００１７】
本発明の第１〜第１０参考形態及び第１〜第６実施形態に係る吸音パネル１００は、図３〜図１８に示すように、多数の貫通孔１ａを有する矩形状の正面板１と、正面板１と空間Ｖを介して対向する矩形状の背面板２と、正面板１と背面板２とをこれらの外縁において接続する側部材３であって、空間Ｖを介して互いに対向する一対の側部３ａを２組含む側部材３と、多数の貫通孔４ａを有し、空間Ｖの内部において正面板１及び背面板２のそれぞれと対向する１又は２枚の内部板４と、を備えている。空間Ｖは、第１〜第３、第５〜第９参考形態では、１枚の内部板４によって２つの空気層Ｖ１，Ｖ２に区画され、第１〜第６実施形態及び第４、第１０参考形態では、２枚の内部板４によって３つの空気層Ｖ１〜Ｖ３に区画されている。第１〜第１０参考形態及び第１〜第６実施形態において、２組の一対の側部３ａは、それぞれ、空間Ｖを介して互いに対向する内側面３ａ１同士が互いに平行に配置されている。
【００１８】
第１〜第１０参考形態及び第１〜第６実施形態に係る吸音パネル１００は、箱状であり、吸音方向（正面板１から背面板２に向かう方向）Ａから見て矩形状である。具体的には、第１〜第７参考形態及び第１〜第６実施形態に係る吸音パネル１００は、直方体形状であり、第８〜第１０参考形態に係る吸音パネル１００は、正面板１又は背面板２が内側面３ａ１に対して斜めに配置されており、直方体形状でない。
【００１９】
正面板１、背面板２、側部材３及び内部板４は、任意の材料（例えば、アルミニウム、鉄、鋼等の金属、又は、樹脂）から構成されてよい。また、正面板１、背面板２、側部材３及び内部板４は、互いに異なる材料で構成されてよい。正面板１、背面板２、側部材３及び内部板４は、任意の固定手段（例えば、ネジ、接着剤、リベット接合、溶接、又は、超音波圧着）により互いに固定されてよい。
【００２０】
正面板１に形成された貫通孔１ａの直径は、例えば０．３〜３．０ｍｍである。正面板１の開口率は、例えば１０％以下である。内部板４に形成された貫通孔４ａの直径は、正面板１に形成された貫通孔１ａの直径よりも小さく、例えば０．０５〜０．１５ｍｍである。内部板４の開口率は、正面板１の開口率よりも小さく、例えば０．２〜１．０％である。貫通孔１ａ，４ａは、任意の加工（パンチング加工、エンボス加工等）により形成されてよい。
【００２１】
音源からの音は、貫通孔１ａを通過する際に減衰する。音の減衰原理（吸音原理）の詳細については、本技術分野（吸音パネル）に係る文献（例えば、特許第５３０８００６号公報）を参照されたい。
【００２２】
側部材３は、吸音方向Ａから見て矩形枠状である。第１、第５、第６、第８〜第１０参考形態及び第１実施形態に係る側部材３は、平らな板からなる４つの側部３ａを連結して構成されているのに対し、第２〜第４、第７参考形態及び第２〜第６実施形態に係る側部材３は、その全周に亘って中空部を有する１又は複数の中空枠部材で構成されている。第３、第７参考形態では、側部材３が１つの中空枠部材３ｘで構成されており、中空枠部材３ｘの４辺のそれぞれが側部３ａを構成している。第２参考形態及び第３〜第６実施形態では、側部材３が吸音方向Ａに積層された２つの中空枠部材３ｘ，３ｙで構成されており、これら積層された中空枠部材３ｘ，３ｙの４辺のそれぞれが側部３ａを構成している。第２実施形態及び第４参考形態では、側部材３が吸音方向Ａに積層された３つの中空枠部材３ｘ〜３ｚで構成されており、これら積層された中空枠部材３ｘ〜３ｚの４辺のそれぞれが側部３ａを構成している。
【００２３】
各中空枠部材３ｘ〜３ｚは、第２、第４参考形態及び第２、第６実施形態において、吸音方向Ａの長さが一定でなく、空間Ｖを介して互いに対向する辺同士の当該長さが異なっている。
【００２４】
１又は２枚の内部板４は、第１、第７〜第１０参考形態及び第１実施形態では、折り曲げ加工がなされており、正面板１と側部材３との間に挟持されている。
【００２５】
１又は２枚の内部板４は、第２〜第５参考形態及び第２実施形態では、平らである。１又は２枚の内部板４は、第２、第４参考形態及び第２実施形態では、吸音方向Ａに隣接する中空枠部材３ｘ，３ｙの間又は中空枠部材３ｙ，３ｚの間に挟持されている。第３参考形態では、１枚の内部板４は、一辺において正面板１と中空枠部材３ｘとの間、当該一辺と対向する他辺において中空枠部材３ｘと背面板２との間に挟持されている。第５参考形態では、１枚の内部板４は、各側部３ａの内側面３ａ１に固定されている。
【００２６】
第６、第７参考形態及び第３〜第６実施形態では、少なくとも１つの山部４ｘを含む内部板４を採用している。山部４ｘは、吸音方向Ａに突出した部分である（或いは、吸音方向Ａと逆の方向に突出した部分を山部とみなしてもよい）。山部４ｘは、任意の加工（エンボス加工等）により形成されてよい。第６参考形態及び第３〜第６実施形態では、複数の山部４ｘを含む山谷状の内部板４を採用している。第７参考形態では、１つの山部４ｘを含む内部板４を採用している。また、第３〜第６実施形態では、平らな内部板４と、複数の山部４ｘを含む山谷状の内部板４とを組み合わせている。
【００２７】
第６参考形態では、１枚の内部板４は、正面板１と側部材３との間に挟持されている。第３、第５及び第６実施形態では、２枚の内部板４は、吸音方向Ａに隣接する中空枠部材３ｘ，３ｙの間に挟持されている。第４実施形態では、平らな内部板４は吸音方向Ａに隣接する中空枠部材３ｘ，３ｙの間に挟持されており、複数の山部４ｘを含む山谷状の内部板４は正面板１と中空枠部材３ｘとの間に挟持されている。
【００２８】
第１〜第１０参考形態及び第１〜第６実施形態では、正面板１、背面板２及び内部板４の少なくともいずれかが、少なくとも１つの内側面３ａ１に対して斜めに配置された傾斜部Ｘを有する。
【００２９】
具体的には、第１〜第７参考形態及び第１〜第６実施形態では、１又は２枚の内部板４が、一対の側部３ａの各内側面３ａ１に対して斜めに配置された部分（傾斜部Ｘ）を有する。第４参考形態では、２枚の内部板４の一方のみが傾斜部Ｘを有する。第５参考形態では、１枚の内部板４が、４つの側部３ａの各内側面３ａ１に対して斜めに配置された部分（傾斜部Ｘ）を有する。第６参考形態及び第３〜第６実施形態では、複数の山部４ｘを含む山谷状の内部板４の各山部４ｘが、２つの傾斜部Ｘを構成している。第６実施形態では、平らな内部板４も、一対の側部３ａの各内側面３ａ１に対して斜めに配置された部分（傾斜部Ｘ）を有する。第７参考形態では、内部板４の１つの山部４ｘが、２つの傾斜部Ｘを構成している。
【００３０】
第８参考形態では、内部板４及び背面板２が、一対の側部３ａの各内側面３ａ１に対して斜めに配置された部分（傾斜部Ｘ）を有する。
【００３１】
第９参考形態では、背面板２が、一対の側部３ａの各内側面３ａ１に対して斜めに配置された部分（傾斜部Ｘ）を有する。
【００３２】
第１０参考形態では、正面板１と、２枚の内部板４の一方とが、一対の側部３ａの各内側面３ａ１に対して斜めに配置された部分（傾斜部Ｘ）を有する。
【００３３】
以上に述べたように、第１〜第１０参考形態及び第１〜第６実施形態によれば、箱状の吸音パネル１００で側部材３の一対の側部３ａの内側面３ａ１同士が互いに平行に配置された構成において、正面板１、背面板２及び内部板４の少なくともいずれかが、少なくとも１つの内側面３ａ１に対して斜めに配置された傾斜部Ｘを有する。この場合、側部３ａの内側面３ａ１で反射した音波は、傾斜部Ｘで跳ね返った後に内部板４の貫通孔４ａに入射するか、又は、内部板４が傾斜部Ｘを有する場合に当該傾斜部Ｘに形成された内部板４の貫通孔４ａに入射する。このように側部３ａの内側面３ａ１で反射した音波が内部板４の貫通孔４ａに入射することで、水平共鳴が抑制され、共鳴（特に、水平共鳴）を起因とした透過損失の低下を抑制可能である。
【００３４】
図１９に示すように、第６参考形態に係る吸音パネル１００において、１０００Ｈｚ（共鳴のために透過損失が低下していた帯域：図２参照）を中心に、透過損失が増加することが分かる。第６参考形態以外の参考形態や実施形態でも、このような透過損失の増加効果が得られると考えられる。
【００３５】
なお、吸音率については、本発明の各参考形態及び各実施形態と、各参考形態及び各実施形態において、傾斜部Ｘを有する部材と正面板１との吸音方向Ａの距離の平均値を求め、傾斜部Ｘを有する部材を平板として、当該平板を正面板１から上記平均値の距離だけ吸音方向Ａに離隔した位置に正面板１と平行に配置した形態とで、同等である。
【００３６】
第３、第６、第７参考形態において、傾斜部Ｘは、内部板４に設けられており、空間Ｖにおける吸音方向Ａの一端から他端に亘って延在している。この場合、側部３ａの内側面３ａ１で反射した音波に対する吸音面積が大きくなり、吸音効果が向上する。言い換えると、傾斜部Ｘが空間Ｖにおける吸音方向Ａの一端から他端に亘って延在し、対向する一対の側部３ａの一方から他方を見通せない構造になっているため、側部３ａの内側面３ａ１で生じる水平共鳴が抑制され、吸音効果が向上する。
【００３７】
第３〜第５実施形態において、吸音パネル１００は、２つの内部板４を備え、傾斜部Ｘは、２つの内部板４の一方に設けられており、他方の内部板４によって区画された２つの空気層の一方における吸音方向Ａの一端から他端に亘って延在している。第６実施形態において、吸音パネル１００は、平らな内部板４と、複数の山部４ｘを含む山谷状の内部板４とを備え、傾斜部Ｘは、これら２つの内部板４の両方に設けられており、山谷状の内部板４に設けられた傾斜部Ｘは、平らな内部板４によって区画された２つの空気層の一方における吸音方向Ａの一端から他端に亘って延している。これらの場合、当該空気層において、側部３ａの内側面３ａ１で反射した音波に対する吸音面積が大きくなり、吸音効果が向上する。言い換えると、山谷状の内部板４に設けられた傾斜部Ｘが当該空気層における吸音方向Ａの一端から他端に亘って延在し、当該空気層において対向する一対の側部３ａの一方から他方を見通せない構造になっているため、側部の内側面で生じる水平共鳴が抑制され、吸音効果が向上する。
【００３８】
第６参考形態、第３〜第６実施形態において、一方の内部板４は、２つの傾斜部Ｘを構成する山部４ｘを含む。第７参考形態において、内部板４は、２つの傾斜部Ｘを構成する山部４ｘを含む。これらの場合、側部３ａの内側面３ａ１で反射した音波に対する吸音回数が増加し、吸音効果が向上する。
【００３９】
第６参考形態、第３〜第６実施形態において、一方の内部板４は、複数の山部４ｘを含む。この場合、側部３ａの内側面３ａ１で反射した音波に対する吸音回数がさらに増加し、吸音効果が向上する。
【００４０】
第５参考形態において、傾斜部Ｘは、側部３ａの内側面３ａ１のそれぞれに対して斜めに配置されている。この場合、２組の一対の側部３ａの各組において内側面３ａ１で反射する音波に対して、水平共鳴の抑制効果が得られる。
【００４１】
以上、本発明の好適な実施の形態について説明したが、本発明は上述の実施形態に限られるものではなく、特許請求の範囲に記載した限りにおいて様々な設計変更が可能なものである。例えば、内部板の数は、１又は複数であり、３以上であってもよい。正面板、背面板及び内部板の少なくともいずれかは、１つの内側面に対して、全体的に斜めに配置されることに限定されず、部分的に斜めに配置されてよい（即ち、一部のみに傾斜部を有してよい）。第２〜第４、第７参考形態及び第２〜第６実施形態において、側部材を中空ではなく中実の枠部材で構成してもよい。
【符号の説明】
【００４２】
１  正面板
１ａ  貫通孔
２  背面板
３  側部材
３ａ  側部
３ａ１  内側面
４  内部板
４ａ  貫通孔
４ｘ  山部
１００  吸音パネル
Ａ  吸音方向
Ｖ  空間
Ｖ１〜Ｖ３  空気層
Ｘ  傾斜部
【図１】
0006662713.tif 000002
【図２】
0006662713.tif 000003
【図３】
0006662713.tif 000004
【図４】
0006662713.tif 000005
【図５】
0006662713.tif 000006
【図６】
0006662713.tif 000007
【図７】
0006662713.tif 000008
【図８】
0006662713.tif 000009
【図９】
0006662713.tif 000010
【図１０】
0006662713.tif 000011
【図１１】
0006662713.tif 000012
【図１２】
0006662713.tif 000013
【図１３】
0006662713.tif 000014
【図１４】
0006662713.tif 000015
【図１５】
0006662713.tif 000016
【図１６】
0006662713.tif 000017
【図１７】
0006662713.tif 000018
【図１８】
0006662713.tif 000019
【図１９】
0006662713.tif 000020